(57)【特許請求の範囲】
【請求項１】
建物の居室と屋外とを仕切る壁の通気穴外端に装着されるケーシングを備え、このケーシングが、上記通気穴の外端に対向してこの通気穴を覆う遮蔽壁部と、下端開口とを有し、ケーシングの内部空間が上記通気穴から遮蔽壁部に至る第１流路とこの第１流路から遮蔽壁部に沿って下端開口に向かう第２流路とを含む壁用換気装置において、
上記ケーシング内には、上記第１流路と第２流路の境部または第２流路において、上記建物壁側から上記遮蔽壁部に向かって張り出す張出部が設けられるとともに、この張出部とほぼ同じ高さにおいて、空気の流通を許容する規制部材が配置され、上記張出部の先端からフレキシブルなシートが垂れ下げられ、ケーシングの下端開口からの風によりこのシートを上記規制部材に当たる位置まで偏倚させることにより、ケーシング内での空気の流通を規制することを特徴とする壁用換気装置。
【請求項２】
上記規制部材は、網または空気流通部を有する薄板をなし、上記シートの上端部を挟むようにして上記張出部の上面に固定され、上記遮蔽壁部に向かって延出されていることを特徴とする請求項１に記載の壁用換気装置。
【請求項３】
上記張出部の真下には、上記ケーシングの下端開口の一部が配置されていることを特徴とする請求項１または２に記載の壁用換気装置。
【請求項４】
上記ケーシングが、上記遮蔽壁部と下端開口を有するフードと、このフードの上記建物壁側に連結された垂直をなす支持板とを備え、この支持板には上記建物壁の通気穴に連なる連通口が形成されるとともに、この連通口の下に上記張出部が設けられていることを特徴とする請求項１〜３のいずれかに記載の壁用換気装置。
【請求項５】
上記ケーシングが、上記遮蔽壁部と下端開口を有するフードと、上記通気穴に挿入される筒体とを備え、この筒体の屋外側周縁に鍔部が形成され、この鍔部の上部に上記フードが連結され、鍔部の下部に上記張出部が設けられていることを特徴とする請求項１〜３のいずれかに記載の壁用換気装置。
【発明の詳細な説明】
【０００１】
【発明の属する技術分野】
本発明は、建物の居室と屋外との間の換気を行う壁用換気装置に関する。
【０００２】
【従来の技術】
台所等の居室と屋外とを仕切る建物の壁に通気穴が形成され、この通気穴を介して換気が行われている。一般に、この通気穴の外端には、フード型の中空のケーシングを備えた換気装置が装着されている。このケーシングは、通気穴に対向する遮蔽壁部を有しており、外からの風が直接通気穴に吹き込まないように構成されている。ケーシングの下端には開口が形成されており、この下端開口を介して換気が行われている。
【０００３】
【発明が解決しようとする課題】
上記壁用換気装置では、強風時にケーシングの下端開口から風が吹き込み、ケーシングの内部空間を通り、建物壁の通気穴を経て居室に入り込み、また、この風に伴って雨水や雪が居室に吹き込んだり、通気穴の内端に設けたファンやルーバ付き換気装置等に付着することがあった。
【０００４】
【課題を解決するための手段】
本発明の第１ノ態様は、建物の居室と屋外とを仕切る壁の通気穴外端に装着されるケーシングを備え、このケーシングが、上記通気穴の外端に対向してこの通気穴を覆う遮蔽壁部と、下端開口とを有し、ケーシングの内部空間が上記通気穴から遮蔽壁部に至る第１流路とこの第１流路から遮蔽壁部に沿って下端開口に向かう第２流路とを含む壁用換気装置において、
上記ケーシング内には、上記第１流路と第２流路の境部または第２流路において、上記建物壁側から上記遮蔽壁部に向かって張り出す張出部が設けられるとともに、この張出部とほぼ同じ高さにおいて、空気の流通を許容する規制部材が配置され、上記張出部の先端からフレキシブルなシートが垂れ下げられ、ケーシングの下端開口からの風によりこのシートを上記規制部材に当たる位置まで偏倚させることにより、ケーシング内での空気の流通を規制することを特徴とする。
【０００５】
本発明の第２の態様は、第１態様の壁用換気装置において、上記規制部材は、網または空気流通部を有する薄板をなし、上記シートの上端部を挟むようにして上記張出部の上面に固定され、上記遮蔽壁部に向かって延出されていることを特徴とする。
本発明の第３の態様は、第１，第２態様の壁用換気装置において、上記張出部の真下には、上記ケーシングの下端開口の一部が配置されていることを特徴とする。
【０００６】
本発明の第４の態様は、第１〜第３態様の壁用換気装置において、上記ケーシングが、上記遮蔽壁部と下端開口を有するフードと、このフードの上記建物壁側に連結された垂直をなす支持板とを備え、この支持板には上記建物壁の通気穴に連なる連通口が形成されるとともに、この連通口の下に上記張出部が設けられていることを特徴とする。
本発明の第５の態様は、第１〜第３態様の壁用換気装置において、上記ケーシングが、上記遮蔽壁部と下端開口を有するフードと、上記通気穴に挿入される筒体とを備え、この筒体の屋外側周縁に鍔部が形成され、この鍔部の上部に上記フードが連結され、鍔部の下部に上記張出部が設けられていることを特徴とする。
【０００７】
【発明の実施の形態】
以下、本発明の第１実施形態に係わる壁用換気装置を図１，図２を参照して説明する。建物において、台所等の居室と屋外とを仕切る壁１には通気穴２が形成されている。この通気穴２の外端に本実施形態の壁用換気装置３が設置されている。なお、図示しないが、通気穴２の内端には、ファンや可動ルーバ式の換気装置等が設置されている。
【０００８】
上記壁用換気装置３はケーシング５を備えている。このケーシング５は、筒体１０と支持板２０とフード３０とを有している。筒体１０は通気穴２にその外端から挿入されており、その屋外側の周縁には鍔部１１が形成されている。支持板２０は、壁１の外面に沿って垂直に配置されており、上部に連通口２１を有し、下端には傾斜した水切部２２を有している。上記連通口２１は上記筒体１０の内径と同径であり、この連通口２１の周縁部に上記筒体１０の鍔部１１が連結されている。
【０００９】
上記フード３０は、上記通気穴２の外端に対向して配置されこの通気穴２を覆う遮蔽壁部３１を有している。この遮蔽壁部３１は通気穴２より下方に延びている。フード３０の両側縁および円弧形状の上縁には、鍔部３２が形成されており、この鍔部３２が上記建物の壁１の外面に、上記支持板２０およびパッキン４０を介して固定されている。パッキン４０は、支持板２０の周縁部に沿った形状をなし、支持板２０と壁１の外面との間をシールしている。
【００１０】
上記ケーシング５は、上記フード３０と支持板２０とで囲われた下端開口３５を有している。ケーシング５の内部空間は、通気穴２の外端からフード３０の遮蔽壁部３１に至る第１流路３６と、遮蔽壁部３１に沿って下端開口３５に至る第２流路３７とを有している。
【００１１】
壁用換気装置３は、型材５０と、網６０と、フレキシブル（柔軟）な薄いシート７０とを備えている。型材５０は、断面Ｌ字形をなし図１において紙面と直交する方向に水平に延び、支持板２０に固定された垂直部５１と、この垂直部５１からフード３０に向かって張出した水平部５２（張出部）とを有している。この水平部５２は、上記支持板２０の連通口２１の下端と同一高さにあり、ケーシング５の第１流路３６と第２流路３７との境に位置している。
【００１２】
上記シート７０は、例えばナイロン製（合成繊維製）の撥水性を有する布からなり、上記網６０とほぼ同形状をなしている。上記型材５０の水平部５２の上面には、網６０の壁１側の端部が、シート７０の上端部を挟むようにして固定されている。この網６０は水平に延び、その周縁がフード３０の内周面に近接している。これにより、網６０は、水平部５２に近傍におけるケーシング５内の流通断面のほぼ全域を占めている。シート７０は、水平部５２の先端縁から垂れ下がっており、ケーシング３０の第２領域３７に配置されており、その下縁部は２つ折りになっている。上記開口３５の一部は、上記水平部５２の真下（シート７０の裏側）に位置している。
【００１３】
上記構成において、通気穴２の内端に可動ルーバ付き換気装置が設置されている場合には、このルーバが開いている時に、通気穴２およびケーシング５の内部空間および開口３５を介して、居室の換気がなされる。外が微風または無風であれば、シート７０は図１の実線で示すように垂れ下がり状態を維持し、換気の妨げとならない。また、通気穴２の内端にファンが設置されている場合には、ファン稼動時に居室側から屋外へと空気が強制的に流されるが、この場合にも垂れ下がり状態のシート７０は、空気の下向きの流れに沿っているので、その妨げとならない。
【００１４】
強風の際には、開口３５から風が吹き込む。この風によりシート７０は吹き上げられて図１の矢印方向に偏倚し、網６０の下面に貼り付く。その結果、シート７０によりケーシング５内での空気の流通がほぼ遮断され、強風が通気穴２を通って居室内に吹き込むのを防止できる。また、雨や雪を伴う強風時に、雨水や雪が通気穴２に吹き込んだり、通気穴２の内端の換気装置やファンに付着するのを防止することができる。
【００１５】
本実施形態では、ケーシング５の下端開口３５の一部が型材５０の水平部５２の真下にまで広がっているので、強風時に風がシート７０の裏側に回り込み、シート７０を確実に網６０に向かわせることができる。また、網６０により、シート７０が水平部５２の上方へとめくり上がるのを防止でき、強風が止んだ時には、元の垂れ下がり状態に戻ることができる。網６０とシート７０は積層状態で型材５０の水平部５２に取り付けるので、その取り付け作業が容易である。
【００１６】
上記実施形態において、図２に示すように網６０の代わりに、櫛状の薄板６５を規制部材として用いてもよい。この薄板６５は、多数の櫛部間に空気流通部６５ａを有している。後述する他の実施形態でも、この薄板６５を用いることができる。
【００１７】
次に、本発明の他の実施形態について説明する。これら実施形態において、第１実施形態に対応する構成部には、図中同番号を付してその詳細な説明を省略する。図３，図４に示す第２実施形態の壁用換気装置３Ａでは、ケーシング５Ａが第１実施形態の支持板２０に相当する部材を有していない。筒体１０の鍔部１１は、円形リング形状のパッキン４５を介して、建物の壁１の外面に固定されている。また、フード３０の上縁に位置する鍔部３２は、筒体１０の上側の鍔部１１と重なるようにして壁１に固定され、フード３０の両側縁に位置する鍔部３２は、直接壁１に固定されている。ケーシング５Ａの下端開口３５は、フード３０と壁１の外面とで形成されている。また、網６０およびシート７０を支持する型材５０の垂直部５１は、筒体１１の下側の鍔部１１に固定されている。この第２実施形態は、支持板が無いので構成が簡単であるが、シート７０の作用は第１実施形態と同様であるので説明を省略する。
【００１８】
図５に示す第３実施形態の壁用換気装置３Ｂでは、ケーシング５Ｂは、フード８０と垂直な支持板９０によって構成されており、第１実施形態の筒体１０を備えておらず、簡略化された構造となっている。フード８０は、遮蔽壁部８１と底壁部８２と鍔部８３とを有している。遮蔽壁部８１は、通気穴２に対峙しており、この通気穴２とほぼ同じ大きさである。底壁部８２には、多数のスリット８２ａと、このスリット８２ａより壁１側に位置する複数の小孔８２ｂが形成されている。これらスリット８２ａ，小孔８２ｂは、ケーシング５Ｂの下端開口として提供される。フード８０の鍔部８３は、壁１の裏材１ａに直接固定され、壁１の外装材１ｂによって、覆われている。
【００１９】
上記支持板９０は、上記フード８０の奥端の周縁に固定されており、その上部に通気穴２に連なる連通口９１が形成され、その下側にフード部８０の遮蔽壁部８１に向かって張り出す張出部９２が一体に形成されている。この張出部９２は、図５の紙面と直交する方向に水平に延びており、底壁部８２より上方に配置されている。張出部９２の若干傾斜した上面には、網６０がシート７０を挟むようにして固定されている。
【００２０】
ケーシング５Ｂの内部空間は、通気穴２から支持板９０の連通口９１を介してフード８０の遮蔽壁部８１に至る第１流路３６Ｂと、遮蔽壁部８１に沿ってスリット８２ａ，小孔８２ｂに至る第２流路３７Ｂとを有している。張出部９２は、第２流路３７Ｂの上部に配置されており、網６０およびシート７０も第２流路３７Ｂに配置されている。
【００２１】
本実施形態のシート７０の作用も第１実施形態と同様である。小孔８２ｂが張出部９２の先端の真下に配置されており、強風時に、風がこの小孔８２ｂを通ってシート７０の裏側に入り込み、シート７０の網６０方向への偏倚を促進するようになっている。
【００２２】
本発明は上記実施形態に制約されず、種々の態様が可能である。シートは、合成繊維製の布のみならず、合成樹脂製のフィルム、不織布等であってもよい。
【００２３】
【発明の効果】
以上説明したように、本発明の第１態様によれば、強風の際には、ケーシングの下端開口から吹き込んだ風によりシートが吹き上げられて規制部材に当たる位置まで偏倚し、ケーシング内での空気の流通を規制するので、強風が通気穴を通って居室内に吹き込むのを防止できる。また、雨や雪を伴う強風時に、これら雨や雪が通気穴から居室内に吹き込んだり通気穴の内端の換気装置やファンに付着するのを防止できる。シートは規制部材によりめくれ上がりを防止されるので、強風が止んだ時に、確実に元の垂れ下がり状態に戻ることができる。また、このシートはフレキシブルであるため規制部材に当たっても騒音が発生することがない。通常換気の際には、シートが垂れ下がり状態にあり、第２流路での空気のほぼ垂直な流れを妨げることがない。しかも、上記効果をえるための構造は、張出部と規制部材とシートだけの簡単なものであるから、安価である。
【００２４】
本発明の第２態様によれば、規制部材が網や薄板からなり、シートとともに簡単に張出部に固定することができる。
本発明の第３態様によれば、開口からの風がシートの裏側に入り込むことにおり、シートを確実に規制部材に向かって偏倚させることができる。
本発明の第４の態様によれば、支持板を用いることにより、張出部を容易に設けることができる。
本発明の第５の態様によれば、ケーシングをフードと筒体で構成し、この筒体に張出部を設けたので、構造を簡単にすることができる。
【図面の簡単な説明】
【図１】  本発明の第１実施形態に係わる換気装置を壁に装着した状態で示す縦断面図である。
【図２】  同第１実施形態の換気装置の分解斜視図である。
【図３】  本発明の第２実施形態に係わる換気装置を壁に装着した状態で示す縦断面図である。
【図４】  同第２実施形態の換気装置の分解斜視図である。
【図５】  本発明の第３実施形態に係わる換気装置を壁に装着した状態で示す縦断面図である。
【符号の説明】
１  建物の壁
２  通気穴
３，３Ａ，３Ｂ  換気装置
５，５Ａ，５Ｂ  ケーシング
１０  筒体
１１  鍔部
２０  支持板
２１  連通口
３１  遮蔽壁部
３５  下端開口
３６，３６Ｂ  第１流路
３７，３７Ｂ
５２  水平部（張出部）
６０  網（規制部材）
６５  櫛状薄板（規制部材）
６５ａ  空気流通部
７０  シート
８１  遮蔽壁部
８２ａ  スリット（下端開口）
８２ｂ  小孔（下端開口）
９０  支持板
９１  連通口
９２  張出部
【図１】
0004409051.tif 000002
【図２】
0004409051.tif 000003
【図３】
0004409051.tif 000004
【図４】
0004409051.tif 000005
【図５】
0004409051.tif 000006